(57)【要約】      （修正有）【課題】トレー上へのコンテンツ表示を、資源を無駄にすることなく経済的かつ安価に、即時性を持って有効に行うことを目的とする。【解決手段】電子ペーパートレー１０は、飲食物などの物品が載置されるトレー１２と、コンテンツを格納する内部メモリ１４と、トレー１２の上面側に配置された電子ペーパー１１と、内部メモリ１４に格納されたコンテンツを電子ペーパー１１に表示するＣＰＵ１３とを含む。そして、電子ペーパー１１の表示エリアが複数に区分けされた各区分エリア毎に、物品が載置されているか否かを検出する光量センサを設け、ＣＰＵ１３が、光量センサの検出結果に応じて、各区分エリアがそれぞれ被覆エリアであるか非被覆エリアであるか判定し、その判定結果に応じて非被覆エリアにコンテンツを表示する。【選択図】図１
2008005884.tif 000002
【特許請求の範囲】
【請求項１】
物品が載置される物品載置部と、
コンテンツを格納するコンテンツ格納部と、
前記物品載置部の上面側に配置された薄型表示装置と、
前記コンテンツ格納部に格納されたコンテンツを前記薄型表示装置に表示する表示制御部とを含む
薄型表示装置搭載トレー。
【請求項２】
前記薄型表示装置は、前記物品載置部の上面側に貼付されるか、または前記物品載置部の上面部として設けられる
請求項１記載の薄型表示装置搭載トレー。
【請求項３】
コンテンツの配信を行う配信サーバから有線あるいは無線等による通信によりコンテンツを受信するコンテンツ受信部と、
該コンテンツ受信部によって受信されたコンテンツを前記コンテンツ格納部に格納するコンテンツ格納処理部とを含む
請求項１または請求項２記載の薄型表示装置搭載トレー。
【請求項４】
前記表示制御部は、あらかじめ設定されたコンテンツ表示スケジュールにもとづいてコンテンツを前記薄型表示装置に表示する
請求項１から請求項３のうちいずれかに記載の薄型表示装置搭載トレー。
【請求項５】
前記薄型表示装置の表示エリアが複数に区分けされた各区分エリア毎に、物品が載置されているか否かを検出する物品検出装置がそれぞれ設けられ、
前記表示制御部は、前記物品検出装置によって物品の載置が検出された区分エリア以外の区分エリアにコンテンツを表示する
請求項１から請求項４のうちいずれかに記載の薄型表示装置搭載トレー。
【請求項６】
前記表示制御部は、前記物品検出装置によって物品の載置が検出された区分エリア以外の区分エリアのサイズにコンテンツを加工して表示する
請求項５記載の薄型表示装置搭載トレー。
【請求項７】
前記物品検出装置は、光量が所定量以下であるか否かを検出する光センサであり、光量が所定量以下であれば、当該物品検出装置が設けられた区分エリア上に物品が載置されている旨を検出する
請求項５または請求項６記載の薄型表示装置搭載トレー。
【請求項８】
前記物品検出装置は、重量が所定量以上であるか否かを検出する重量センサであり、重量が特定量以上であれば、当該物品検出装置が設けられた区分エリア上に物品が載置されている旨を検出する
請求項５または請求項６記載の薄型表示装置搭載トレー。
【請求項９】
前記薄型表示装置は、電子ペーパーである
請求項１から請求項８のうちいずれかに記載の薄型表示装置搭載トレー。
【請求項１０】
コンテンツは、画像、映像、テキストのうちいずれか１つを含む
請求項１から請求項９のうちいずれかに記載の薄型表示装置搭載トレー。
【請求項１１】
充電可能な蓄電池と、
充電用電力源を備えたトレー棚に置かれた状態、あるいは前記トレー棚に置かれた他の薄型表示装置搭載トレーに重ねられた状態で、前記トレー棚から前記蓄電池の充電のための充電用電力を取り込む充電用電力取込部とを含む
請求項１から請求項１０のうちいずれかに記載の薄型表示装置搭載トレー。
【発明の詳細な説明】
【技術分野】
【０００１】
本発明は、例えば食品などの物品を載置する物品トレーの上面側に電子ペーパー等の薄型表示装置を設け、その薄型表示装置に各種のコンテンツを表示する薄型表示装置搭載トレーに関する。
【背景技術】
【０００２】
従来から、ファーストフードやファミリーレストランなどでは、食品などの物品を載置する物品トレー上に、広告等の各種のコンテンツが掲載された紙媒体が貼付もしくは添付されている。
【０００３】
一方、近年、電子ペーパーと呼ばれる薄型表示装置にコンテンツを表示させるための各種の技術が提案されている（例えば特許文献１−２）。特許文献１には、１枚の電子ペーパーで複数の画面を表示することや、時間等にあわせて表示画面を動的に変えることが記載されている。特許文献２には、ユーザによる電子ペーパーの接触を検知し、それによって、電子ペーパーをユーザが閲覧したと判断して次の画面に変更することが開示されています。
【０００４】
【特許文献１】特開２００３−１６２２４５号公報
【特許文献２】特開２００５−２６７１８８号公報
【発明の開示】
【発明が解決しようとする課題】
【０００５】
上述した物品トレー上に紙媒体を配置させる従来のコンテンツの表示手法では、消耗品である紙媒体を使用しているため不経済であり、さらに余剰分となった紙が活用されることなく廃棄されるなど資源を無駄にしているという問題がある。また、物品トレー上に置かれた紙媒体に広告等のためのコンテンツが掲載されるため、その物品トレー上に飲食物などが置かれると、コンテンツが覆い隠されてしまい、有効な広告効果が得られないという問題もあった。さらに、紙の張替えや、コンテンツが掲載された紙の作成などのために人件費や時間を要することとなっており、より安価でかつ即時性のある媒体が望まれている。
【０００６】
特許文献１に記載されている技術では、単に時間にあわせて表示画面を動的に変えるものであるため、物品トレー上に載置することとしても、物品トレー上に置かれた飲食物に隠れた場所にコンテンツが表示されてしまう。このため、上述した問題を包含していることになる。
【０００７】
特許文献２に記載されている技術では、単に画面への接触を検知して次の画面に変更するものであるため、物品トレー上に載置することとしても、やはり物品トレー上に置かれた飲食物に隠れた場所にコンテンツが表示されてしまう。このため、やはり上述した問題を包含していることになる。
【０００８】
本発明は、上述した問題を解消し、物品トレー上へのコンテンツ表示を、資源を無駄にすることなく経済的かつ安価に、即時性を持って有効に行うことができるようにすることを目的とする。
【課題を解決するための手段】
【０００９】
本発明の薄型表示装置搭載トレーは、物品が載置される物品載置部と、コンテンツを格納するコンテンツ格納部と、前記物品載置部の上面側に配置された薄型表示装置と、前記コンテンツ格納部に格納されたコンテンツを前記薄型表示装置に表示する表示制御部とを含むことを特徴とする。
【００１０】
前記薄型表示装置は、例えば、前記物品載置部の上面側に貼付されるか、または前記物品載置部の上面部として設けられる。
【００１１】
コンテンツの配信を行う配信サーバから有線あるいは無線等による通信によりコンテンツを受信するコンテンツ受信部と、該コンテンツ受信部によって受信されたコンテンツを前記コンテンツ格納部に格納するコンテンツ格納処理部とを含む構成とされていてもよい。
【００１２】
前記表示制御部は、あらかじめ設定されたコンテンツ表示スケジュールにもとづいてコンテンツを前記薄型表示装置に表示する構成とされていてもよい。
【００１３】
前記薄型表示装置の表示エリアが複数に区分けされた各区分エリア毎に、物品が載置されているか否かを検出する物品検出装置がそれぞれ設けられ、前記表示制御部は、前記物品検出装置によって物品の載置が検出された区分エリア以外の区分エリアにコンテンツを表示する構成とされていてもよい。
【００１４】
前記表示制御部は、前記物品検出装置によって物品の載置が検出された区分エリア以外の区分エリアのサイズにコンテンツを加工して表示する構成とされていてもよい。
【００１５】
前記物品検出装置は、光量が所定量以下であるか否かを検出する光センサであり、光量が所定量以下であれば、当該物品検出装置が設けられた区分エリア上に物品が載置されている旨を検出する構成とされていてもよい。
【００１６】
前記物品検出装置は、重量が所定量以上であるか否かを検出する重量センサであり、重量が特定量以上であれば、当該物品検出装置が設けられた区分エリア上に物品が載置されている旨を検出する構成とされていてもよい。
【００１７】
前記薄型表示装置は、例えば、電子ペーパーである。また、コンテンツは、例えば、画像、映像、テキストのうちいずれか１つを含む。
【００１８】
充電可能な蓄電池と、充電用電力源を備えたトレー棚に置かれた状態、あるいは前記トレー棚に置かれた他の薄型表示装置搭載トレーに重ねられた状態で、前記トレー棚から前記蓄電池の充電のための充電用電力を取り込む充電用電力取込部とを含む構成とされていてもよい。
【発明の効果】
【００１９】
本発明によれば、物品トレー上へのコンテンツ表示を、資源を無駄にすることなく経済的かつ安価に、即時性を持って有効に行うことができる。
【発明を実施するための最良の形態】
【００２０】
以下、本発明の実施の形態について図面を参照して説明する。
図１は、本発明の一実施の形態における電子ペーパートレー１０を上方から見た上面図である。図２は、本発明の一実施の形態における電子ペーパートレー１０が備える電子ペーパー１１を上方から見た上面図である。
【００２１】
電子ペーパートレー１０は、飲食物などが載置される載置面（物品載置部）を有する平板状のトレー１２と、トレー１２における載置面の上方（物品載置部の上面側）に貼付された電子ペーパー１１と、各種の処理を実行するＣＰＵ１３と、各種の情報を格納する内部メモリ１４と、各部に電力を供給する蓄電池１５とを含む。なお、電子ペーパー１１は、貼付により配置されるのではなく、載置面の上部に設けられるようにしてもよい。また、ＣＰＵ１３、内部メモリ１４、及び蓄電池１５は、それぞれ、電子ペーパー１１の内部に設けられていても外部に設けられていてもよい。
【００２２】
電子ペーパー１１は、コンテンツなどの各種の情報を表示するディスプレイ装置であり、その表示面が複数のエリアにマトリクス状に区分けされているものとする。本例では、図２に示すように、行Ａ〜行Ｃの３行、かつ列１〜列５の５列の１５個のエリアに区分けされているものとする。電子ペーパー１１における各区分エリアＡ−１〜Ａ−５，Ｂ−１〜Ｂ−５，Ｃ−１〜Ｃ−５には、それぞれ、光量センサ１６ａ〜１６ｏが設けられている。本例では、各区分エリアＡ−１〜Ａ−５，Ｂ−１〜Ｂ−５，Ｃ−１〜Ｃ−５の大きさは、同一であっても異なっていてもよい。
【００２３】
各区分エリアＡ−１〜Ａ−５，Ｂ−１〜Ｂ−５，Ｃ−１〜Ｃ−５に設置された光量センサ１６ａ〜１６ｏは、それぞれ、自己の区分エリアに飲食物等が置かれているか否かを検出するために、自己の区分エリアの光量を測定し、測定結果をＣＰＵ１３に通知する。ＣＰＵ１３は、光量センサ１６ａ〜１６ｏからの測定結果が示す光量が所定量以上であったときは、該当する区分エリアに飲食物等が置かれていないものと判定する。一方、ＣＰＵ１３は、光量センサ１６ａ〜１６ｏからの測定結果が示す光量が所定量未満であったときは、該当する区分エリアに飲食物等が置かれており、その区分エリアが覆い隠されているものと判定する。そして、ＣＰＵ１３は、各区分エリアＡ−１〜Ａ−５，Ｂ−１〜Ｂ−５，Ｃ−１〜Ｃ−５の被覆状況を収集し、電子ペーパー１１における表示エリア全体の被覆状態から、その状態にあった最適なコンテンツを電子ペーパー１１に表示する。具体的には、コンテンツの加工や組み合わせなどを行い、飲食物等によって被覆されていない区分エリアにのみコンテンツを表示する。
【００２４】
次に本発明の一実施の形態における電子ペーパートレー１０の動作について説明する。
図３は、電子ペーパートレー１０が実行するコンテンツ表示処理の例を示すフローチャートである。
【００２５】
コンテンツ表示処理において、本例では、電子ペーパートレー１０は、先ず、表示コンテンツ群及び表示スケジュールをあらかじめ内部メモリ１４にダウンロードしておく（ステップＳ１０１）。このダウンロードは、電子ペーパートレー１０が備える無線通信機能により無線通信回線を介して行うようにしてもよいし、有線通信回線を介して行うようにしてもよいし、表示コンテンツ群及び表示スケジュールが格納されたメモリカードなどの記憶媒体を電子ペーパートレー１０に接続することによって行うようにしてもよい。
【００２６】
表示コンテンツ群は、電子ペーパー１１に表示される各種のコンテンツを意味する。表示コンテンツ群に含まれるコンテンツには、例えば、広告（飲食店の広告、商品の広告、人材募集の広告など）、地図、風景などを表すテキスト、図形、写真、画像、映像などが含まれる。なお、各コンテンツには、掲載可能時間帯を示す表示時刻と、表示対象として選択される際の優先度とが対応付けされている（図４等参照）。
【００２７】
表示スケジュールは、電子ペーパー１１へのコンテンツの表示期間があらかじめ設定されたスケジュールを意味する。表示スケジュールには、例えば１分、５分、１１時３０分などの電子ペーパー１１に表示するコンテンツの切替タイミングを特定可能な時間や時刻、および各コンテンツの表示順番等が設定されている。
【００２８】
次に、電子ペーパートレー１０のＣＰＵ１３は、各光量センサ１６ａ〜１６ｏから、各各光量センサ１６ａ〜１６ｏによって計測された光量値を収集する（ステップＳ１０２）。光量値を収集すると、ＣＰＵ１３は、収集した各光量値が所定の閾値以下であるか否か判定し、閾値以下の光量値を検出した各光量センサが設置されている各区分エリアを被覆エリア（飲食物等が置かれており覆い隠されている区分エリア）と判定し（ステップＳ１０３）、閾値を超える光量値を検出した各光量センサが設置されている各区分エリアを非被覆エリア（飲食物等が置かれておらず覆い隠されていない区分エリア）と判定する（ステップＳ１０４）。そして、ＣＰＵ１３は、ステップＳ１０３，Ｓ１０４の判定結果に応じて被覆状態図を作成する（ステップＳ１０５）。
【００２９】
被覆状態図は、各区分エリアＡ−１〜Ａ−５，Ｂ−１〜Ｂ−５，Ｃ−１〜Ｃ−５それぞれの被覆状態が対応付けされた図表であり、例えば全ての区分エリアが非被覆であると判定した場合には図４に示すようになる。
【００３０】
被覆状態図を作成すると、ＣＰＵ１３は、作成した被覆状態図に基づき、コンテンツ表示可能エリア（非被覆エリア）を必要に応じて分割し、１つのコンテンツが表示されるコンテンツ表示ブロックを決定して、コンテンツ表示ブロック表を作成する（ステップＳ１０６）。
【００３１】
コンテンツ表示ブロック表は、各コンテンツ表示ブロックと、各コンテンツ表示ブロックを構成する構成エリア（区分エリア）とが対応付けされた図表である。例えば全ての区分エリアが非被覆であり、表示エリア全体を１つのコンテンツ表示ブロックとする場合には、コンテンツ表示ブロック表は、例えば図４に示すようになる。
【００３２】
次に、ＣＰＵ１３は、表示コンテンツ群から表示スケジュールに合ったコンテンツを選択する（ステップＳ１０７）。
【００３３】
次に、ＣＰＵ１３は、優先度の高い順番に、各コンテンツを表示するコンテンツ表示ブロックを決定する（ステップＳ１０８）。ステップＳ１０８では、優先度の高いコンテンツから順番に、表示エリアの大きいコンテンツ表示ブロックに表示することに決定する。
【００３４】
次に、ＣＰＵ１３は、表示するコンテンツのサイズとコンテンツ表示ブロックのサイズとを比較し、コンテンツのサイズを維持、拡大、あるいは縮小する（ステップＳ１０９）。ステップＳ１０９では、コンテンツのサイズとコンテンツ表示ブロックのサイズとが一致あるいはほぼ同一であればコンテンツのサイズを維持し、コンテンツのサイズよりもコンテンツ表示ブロックのサイズが大きければコンテンツのサイズを拡大し、コンテンツのサイズよりもコンテンツ表示ブロックのサイズが小さければコンテンツのサイズを縮小する。
【００３５】
そして、ＣＰＵ１３は、電子ペーパー１１における表示エリア中の決定されたコンテンツ表示ブロックに、選択されたコンテンツを表示する（ステップＳ１１０）。
【００３６】
例えば全ての区分エリアが非被覆であり表示エリア全体を１つのコンテンツ表示ブロックとする場合には、１つのコンテンツが選択され例えば拡大されて、図５に示すように、電子ペーパー１１における表示エリア全体に表示される。
【００３７】
初期表示を行ったあとは、ＣＰＵ１３は、表示スケジュールを監視し、コンテンツ変更時刻が到来すると（ステップＳ１１１のＹ）、ステップＳ１０７に移行する。すなわち、例えば定期的に表示するコンテンツが更新される。
【００３８】
また、ＣＰＵ１３は、被覆状態の確認間隔としてあらかじめ定められている時間（被覆状態定期確認時間）を監視する（ステップＳ１１２）。被覆状態定期確認時間が到来すると（ステップＳ１１２のＹ）、ＣＰＵ１３は、各光量センサ１６ａ〜１６ｏから、各各光量センサ１６ａ〜１６ｏによって計測された光量値を再収集し、被覆エリアであるか非被覆エリアであるかの判定を再度行い、その判定結果に応じて作成した被覆状態図に更新する（ステップＳ１１３）。そして、ＣＰＵ１３は、更新前後の被覆状態図を比較して、差分がなければステップＳ１１１に移行し（ステップＳ１１４のＮ）、追加以外の差分を含む場合にはステップＳ１０６に移行し（ステップＳ１１５のＮ）、差分が追加のみであれば表示するコンテンツを追加（ステップＳ１１６）したあとステップＳ１１１に移行する。
【００３９】
上記のようにして、被覆状態定期確認時間が経過する毎に被覆状態図を更新し、被覆状態が変化していれば、その変化の内容に応じて、コンテンツの表示位置や表示サイズを変更したり、表示するコンテンツを追加したり削除したりすることが行われる。
【００４０】
ここで、電子ペーパートレー１０上に何も置かれていない図４に示す被覆状態図の状態から、区分エリアＢ−３〜Ｂ−４，Ｃ−３〜Ｃ−４に物品が置かれた場合について説明する。この場合には、ステップＳ１１３において例えば図６に示す被覆状態図に更新され、ステップＳ１０６にて例えば図６に示すようなコンテンツ表示ブロック表が作成される。図６に示すコンテンツ表示ブロック表は、区分エリアＡ−１〜Ａ−４のコンテンツ表示ブロックと、区分エリアＢ−１〜Ｂ−２，Ｃ−１〜Ｃ−２のコンテンツ表示ブロックと、区分エリアＡ−５，Ｂ−５，Ｃ−５のコンテンツ表示ブロックとの３つのブロックにそれぞれコンテンツを表示するものとなっている。そして、ステップＳ１０７にてコンテンツが選択され、ステップＳ１０８にて各コンテンツ表示ブロックに表示するコンテンツが決定され、ステップＳ１０９にて必要に応じてコンテンツのサイズが変更され、ステップＳ１１０にてコンテンツが表示される。この例では、例えば図７に示すように、電子ペーパー１１における表示エリアにおいて、例えば食品類が置かれた区分エリアＢ−３〜Ｂ−４，Ｃ−３〜Ｃ−４を避けるようにして、区分エリアＡ−１〜Ａ−４のコンテンツ表示ブロックと、区分エリアＢ−１〜Ｂ−２，Ｃ−１〜Ｃ−２のコンテンツ表示ブロックと、区分エリアＡ−５，Ｂ−５，Ｃ−５のコンテンツ表示ブロックとの３つのブロックに、それぞれコンテンツが表示されるようになる。
【００４１】
続いて、区分エリアＢ−３〜Ｂ−４，Ｃ−３〜Ｃ−４に物品が置かれた図６に示す被覆状態図の状態から、区分エリアＣ−３が非被覆エリアとなった場合について説明する。この場合には、ステップＳ１１３において例えば図８に示す被覆状態図に更新され、例えば図８に示すようなコンテンツ表示ブロック表が作成される。図８に示すコンテンツ表示ブロック表は、区分エリアＡ−１〜Ａ−４のコンテンツ表示ブロックと、区分エリアＢ−１〜Ｂ−２，Ｃ−１〜Ｃ−２のコンテンツ表示ブロックと、区分エリアＡ−５，Ｂ−５，Ｃ−５のコンテンツ表示ブロックと、区分エリアＣ−３のコンテンツ表示ブロックとの４つのブロックにそれぞれコンテンツを表示するものとなっている。そして、ステップＳ１１５にてＹと判定され、ステップＳ１１６にて、追加したコンテンツ表示ブロックである区分エリアＣ−３に表示するコンテンツが決定され、決定されたコンテンツが区分エリアＣ−３に表示される。この例では、例えば図９に示すように、電子ペーパー１１における表示エリアにおいて、例えば食品類が置かれた区分エリアＢ−３〜Ｂ−４，Ｃ−４を避けるようにして、区分エリアＡ−１〜Ａ−４のコンテンツ表示ブロックと、区分エリアＢ−１〜Ｂ−２，Ｃ−１〜Ｃ−２のコンテンツ表示ブロックと、区分エリアＡ−５，Ｂ−５，Ｃ−５のコンテンツ表示ブロックと、区分エリアＣ−３のコンテンツ表示ブロックとの４つのブロックに、それぞれコンテンツが表示されるようになる。
【００４２】
次に、電子ペーパートレー１０が備える蓄電池１５への充電について説明する。
図１０は、電子ペーパートレー１０を含む複数の電子ペーパートレー１０，１０’，１０”それぞれの蓄電池１５，１５’，１５”の充電の様子を示す説明図である。なお、電子ペーパートレー１０’，１０”は、電子ペーパートレー１０と同様に構成される。
【００４３】
図１０に示すように、充電用電源２１を備えたトレー棚２０に各電子ペーパートレー１０，１０’，１０”が重ねて置かれた状態で、各電子ペーパートレー１０，１０’，１０”が備えるそれぞれの蓄電池１５，１５’，１５”に充電用電源２１からの充電のための充電用電力が供給され、各蓄電池１５，１５’，１５”が充電される。すなわち、本例では、トレー棚２０における所定の箇所に電子ペーパートレー１０を置くだけで蓄電池１５が充電される。また、他の電子ペーパートレー１０に重ねて置かれた電子ペーパートレー１０’についても、充電用電源２１からの充電のための充電用電力が電子ペーパートレー１０を介して供給され、電子ペーパートレー１０’ の蓄電池１５’も充電される。つまり、各電子ペーパートレー１０，１０’，１０”には、それぞれ、トレー棚２０からの充電用電力を取り込むため、あるいは直下に重ねられている他の電子ペーパートレーを介して充電用電力を取り込むための取込端子（充電用電力取込部）と、さらに直上に重ねられている他の電子ペーパートレーに対してトレー棚２０からの充電用電力を供給する出力端子（充電用電力出力部）とが設けられている。この例では、充電用電力取込部と充電用電力出力部とがそれぞれ２つ設けられており、図１０に示すように、トレー棚２０上に各電子ペーパートレー１０，１０’，１０”が重ねられたときに、充電用電源２１に対して各蓄電池１５，１５’，１５”が並列接続された状態となる。
【００４４】
なお、図１０に示す接続状態に限らず、例えば図１１に示すように、ＰｏＥ（Power over Ethernet（Ethernetは登録商標））により例えばＬＡＮケーブルなどの情報送信ケーブルに、外部からコンテンツ蓄積部２２にダウンロードしてきたコンテンツと同時に充電用電力を流すことで、トレー棚２０’上に重ねられた各電子ペーパートレー１０，１０’，１０”の内部メモリ１４，１４’，１４”にコンテンツを追加登録するとともに、各蓄電池１５，１５’，１５”を充電するようにしてもよい。このように構成すれば、トレー棚２０’上に各電子ペーパートレー１０，１０’，１０”が重ねられたときに、内部メモリ１４，１４’，１４”へのデータ補充を行うことができると同時に、各蓄電池１５，１５’，１５”を充電することができるようになる。
【００４５】
以上に説明したように、飲食物などの物品が載置されるトレー１２と、コンテンツを格納する内部メモリ１４と、トレー１２の上面側に配置された電子ペーパー１１と、内部メモリ１４に格納されたコンテンツを電子ペーパー１１に表示するＣＰＵ１３とを含む構成としたので、トレー１２上へのコンテンツ表示を、資源を無駄にすることなく経済的かつ安価に、即時性を持って有効に行うことができるようになる。
【００４６】
すなわち、紙媒体を用いることなく電子ペーパー１１を用いて行うこととしたので、資源を無駄にすることなく経済的かつ安価にトレー１２上へのコンテンツ表示を行うことが可能となる。また、表示するコンテンツを追加したり、表示しているコンテンツを容易に切換することができるので、トレー１２上へのコンテンツ表示を、即時性を持って有効に行うことができる。
【００４７】
なお、電子ペーパー１１は、トレー１２の上面側に貼付されるか、またはトレー１２の上面部として設けられるものとして説明していたが、トレー１２の上面側への設置方法はどのようなものであってもよい。
【００４８】
また、上述した実施の形態では、あらかじめ設定されたコンテンツ表示スケジュールにもとづいてコンテンツを電子ペーパー１１上に表示するようにしたので、例えば時間経過などのあらかじめ指定してスケジュールに応じて表示するコンテンツを変更させることができる。
【００４９】
また、上述した実施の形態では、電子ペーパー１１の表示エリアが複数に区分けされた各区分エリア毎に、物品が載置されているか否かを検出する光量センサ１６ａ〜１６ｏを設け、ＣＰＵ１３が、光量センサ１６ａ〜１６ｏの検出結果に応じて、各区分エリアがそれぞれ被覆エリアであるか非被覆エリアであるか判定し、その判定結果に応じて非被覆エリアにコンテンツを表示する構成としたので、物品が載置されていない非被覆エリアのみにコンテンツを表示することができ、効率的にコンテンツを表示することができる。
【００５０】
また、上述した実施の形態では、ＣＰＵ１３が、光量センサ１６ａ〜１６ｏの検出結果に応じて判定した非被覆エリアのサイズに合致するように、コンテンツを加工して表示するようにしたので、物品が載置されていない非被覆エリアに適切にコンテンツを表示することが可能となる。
【００５１】
なお、上述した実施の形態では、光量センサ１６ａ〜１６ｏの検出結果に応じて物品が載置されていない非被覆エリアと物品が載置されている被覆エリアとの別を判定する構成としていたが、重量を計測する重量センサの検出結果に応じて判定するようにしてもよい。この場合、電子ペーパー１１の表示エリアが複数に区分けされた各区分エリア毎に、物品が載置されているか否かを検出する重量センサを設け、ＣＰＵ１３が、重量センサの検出結果に応じて、各区分エリアがそれぞれ被覆エリアであるか非被覆エリアであるか判定する。なお、この場合、ＣＰＵ１３は、重量センサの検出結果（検出重量）が特定量以上であれば、その重量センサが設けられている区分エリア上に物品が載置されていると判定し、重量センサの検出結果（検出重量）が特定量未満であれば、その重量センサが設けられている区分エリア上に物品が載置されていないと判定する。
【００５２】
また、上述した実施の形態では、電子ペーパー１１を物品トレー１２上に設ける構成としていたが、電子ペーパー以外の薄型表示装置であってもよい。
【００５３】
また、上述した実施の形態では、充電可能な蓄電池１５と、充電用電源２１を備えたトレー棚２０に置かれた状態、あるいはトレー棚２０に置かれた他の電子ペーパートレーに重ねられた状態で、トレー棚２０から蓄電池１５の充電のための充電用の電力を取り込む充電用電力取込部とを含む構成としたので、トレー置き場に電子ペーパートレー１０を重ねるだけで、簡単に電子ペーパー１１を駆動する蓄電池１５を自動的に充電することが可能となる。すなわち、意識することなく充電作業を完了させることが可能となる。
【産業上の利用可能性】
【００５４】
本発明によれば、トレー上へのコンテンツ表示を、資源を無駄にすることなく経済的かつ安価に、即時性を持って有効に行うのに有用である。
【図面の簡単な説明】
【００５５】
【図１】本発明の一実施の形態における電子ペーパートレーを上方から見た上面図である。
【図２】本発明の一実施の形態における電子ペーパートレーが備える電子ペーパーを上方から見た上面図である。
【図３】電子ペーパートレーが実行するコンテンツ表示処理の例を示すフローチャートである。
【図４】内部メモリに格納された被覆状態図等の格納状態の例を示す説明図である。
【図５】電子ペーパーへのコンテンツの表示状態の例を示す説明図である。
【図６】内部メモリに格納された被覆状態図等の格納状態の例を示す説明図である。
【図７】電子ペーパーへのコンテンツの表示状態の例を示す説明図である。
【図８】内部メモリに格納された被覆状態図等の格納状態の例を示す説明図である。
【図９】電子ペーパーへのコンテンツの表示状態の例を示す説明図である。
【図１０】複数の電子ペーパートレーそれぞれの蓄電池の充電の様子を示す説明図である。
【図１１】複数の電子ペーパートレーそれぞれの蓄電池の充電の他の様子を示す説明図である。
【符号の説明】
【００５６】
１０            電子ペーパートレー
１１            電子ペーパー
１２            トレー
１３            ＣＰＵ
１４            内部メモリ
１５            蓄電池
３０            公衆無線ＬＡＮアクセスポイント
１６ａ〜１６ｏ  光量センサ
２０            トレー棚
２１            充電用電源
２２            コンテンツ蓄積部
【図１】
2008005884.tif 000003
【図２】
2008005884.tif 000004
【図３】
2008005884.tif 000005
【図４】
2008005884.tif 000006
【図５】
2008005884.tif 000007
【図６】
2008005884.tif 000008
【図７】
2008005884.tif 000009
【図８】
2008005884.tif 000010
【図９】
2008005884.tif 000011
【図１０】
2008005884.tif 000012
【図１１】
2008005884.tif 000013